(57)【特許請求の範囲】
【請求項１】
湯流路からの湯と水流路からの水とを、駆動装置によって駆動される混合弁体で混合し、設定温度の混合湯を供給するものに於いて、前記混合弁体を収納する混合部と、該混合部からの混合湯が流通する混合流路と、該混合流路途中で混合湯の温度を検出し駆動装置を制御する温度センサとを備え、前記混合部と温度センサとの間の混合流路は、同じ方向を向く２つの直線流路の端部を重合し、この重合部分で連通して形成したクランク流路とし、更にこのクランク流路の入口側は入口から最初の衝突部までの間を、他より狭い縮小流路とした事を特徴とする湯水混合装置。
【発明の詳細な説明】
【０００１】
【発明の属する技術分野】
この発明は湯と水とを混合して設定温度の混合湯を得るようにした給湯装置で利用される湯水混合装置に関するものである。
【０００２】
【従来の技術】
従来よりこの種のものに於いては、例えば特公昭６２−４８７８３号公報に開示されている如く、混合弁体を有した湯と水との混合部と、混合湯温を検出する温度センサとの間に、オリフィスを設けることで湯と水との混合を促進してある程度正確な混合湯温を検出しようとするものであった。
【０００３】
【発明が解決しようとする課題】
ところでこの従来のものでは、混合部の出口にオリフィスを設けただけなので、混合した湯と水はここで一旦集束した後拡散して温度センサに向かうが、単に湯と水とを瞬間的に集束、拡散しただけでは湯と水とは分離した状態のままで混ざらず、良好な混合は行われず依然として正確な混合湯温を検出出来ず、設定温度の給湯を得ることは出来ないと言う問題点を有するものである。
【０００４】
【問題点を解決するための手段】
この発明はこの点に着目し上記欠点を解決する為、特にその構成を、湯流路からの湯と水流路からの水とを、駆動装置によって駆動される混合弁体で混合し、設定温度の混合湯を供給するものに於いて、前記混合弁体を収納する混合部と、該混合部からの混合湯が流通する混合流路と、該混合流路途中で混合湯の温度を検出し駆動装置を制御する温度センサとを備え、前記混合部と温度センサとの間の混合流路は、同じ方向を向く２つの直線流路の端部を重合し、この重合部分で連通して形成したクランク流路とし、更にこのクランク流路の入口側は入口から最初の衝突部までの間を、他より狭い縮小流路としたものである。
【０００５】
【発明の実施の形態】
設定温度の混合湯を得るように予め駆動装置７で混合弁体６を駆動させ、設定された湯と水の混合比で湯流路３及び水流路４を開口しておけば、供給された湯と水とは混合部１で合流し、混合流路１０内を流通するものであるが、混合部１から温度センサ１１が備えられた混合流路１０の間にはクランク流路１３が形成されている。
【０００６】
そしてこのクランク流路１３に流入した混合湯は、先ず入口側のクランク流路１３を直進し、流路内壁の衝突部１３ａに衝突し、乱流を起こしここで先ず１回目の混合が促進され、次に９０゜流路が変更されて流れ、今度は反対側の流路内壁の衝突部１３ｂに衝突して乱流を起こし、ここで２回目の混合促進が行われ、そして再び９０゜流路が変更となって温度センサ１１を通過して混合湯温が検出され、設定温度との偏差で混合弁体６が駆動されて湯流路３及び水流路４の開度を微調整して設定温度の混合湯を得るものである。
【０００７】
従って、混合湯はクランク流路１３を流通することにより、途中数回に渡って乱流を起こして混合が促進されるので、温度センサ１１は正確な混合湯温を検出することが出来、常に設定温度の混合湯を得ることが出来るものである。
【０００８】
更にクランク流路１３の入口側を縮小流路１４とすることで、混合湯は集束状態を保持したままその流速をやや速めながら最初の衝突が行われ、勢いの良い乱流で混合促進効果の向上が計られるものである。
【０００９】
【実施例】
次にこの発明に係る湯水混合装置を図面に示された一実施例で説明する。
１は給湯機等の熱源機２と連通し高温の一定温度の湯が流通する湯流路３と、該湯流路３より稍小径で水道等の給水源と連通し水が流通する水流路４とを１８０゜反対位置で対向させて連通した混合部で、内方には内部を空洞とし周壁半分以上を開放口５とした混合弁体６が備えられている。
【００１０】
７は駆動軸８を介して混合弁体６を駆動するステッピングモーターから成る駆動装置で、混合部１上方にネジ９で固定されている。
【００１１】
１０は混合部１底部で混合弁体６の空洞部分と連通し湯と水の混合湯が流通する混合流路で、途中には混合湯温を検出するサーミスタから成る温度センサ１１が備えられ、適所に備えた給湯用の蛇口１２に連通している。
【００１２】
１３は混合部１と温度センサ１１との間の混合流路１０に形成されたクランク流路で、段違いの２流路をその重合部分で連通し、９０゜流路が変更される部分を２つ設け、混合流路１０内壁との衝突部１３ａ、１３ｂを２つ備え、更にこのクランク流路１３の入口側は出口側に比べ７割〜８割その内容積が狭い縮小流路１４として、温度センサ１１に達するまでの湯と水の混合を促進して検出温度が混合湯の正確な温度となるようにしているものである。
【００１３】
１５は前記駆動装置７の駆動を制御するマイコン等から成る制御手段で、蛇口１２近傍に備えられ供給される混合湯温を希望の温度に設定可能なリモコンから成る設定器１６の設定温度と、温度センサ１１が検出する実際の混合湯温との偏差値から駆動装置７の駆動を制御して、湯と水の混合比を調節すると共に、予め設定温度に対する湯と水の混合比を初期値として記憶しており、給湯開始時この初期値となるように湯流路３及び水流路４の開口度に駆動装置７を駆動するものである。
【００１４】
１７は駆動装置７の固定部及び駆動軸８をシールするパッキン等から成るシール部材である。
【００１５】
又この混合装置全体は鋳物で形成され、湯流路３及び水流路４及び混合流路１０には、それぞれ適宜な連結パイプが接続されて給湯装置が構成されるものであり、更にこの混合装置及び制御手段１５は熱源機２内に内蔵されるようにしても良いものである。
【００１６】
次にこの発明一実施例の作動を説明する。
今蛇口１２を開いて給湯を開始すれば、これを制御手段１５がフローセンサ（図示せず）により流水として検出し、設定器１６で設定された温度に応じた初期値パルスで駆動装置７を駆動し、混合弁体６を湯と水との混合比が所定値になる位置に移動させ、湯流路３と水流路４の開口度を同時に調節する。
【００１７】
これにより湯流路３からは熱源機２で加熱された一定温度ここでは８０℃の湯が供給されると共に、水流路４からは冷水が供給されて混合部１で混合され混合流路１０を介して供給され、温度センサ１１が実際の混合湯温を検出し設定温度との偏差値で制御手段１５を介して、駆動装置７を再度駆動し混合弁体６の位置を最終的に微調整して決定するものであり、以後は設定温度の混合湯を得ることが出来るものである。
【００１８】
そしてこの時、混合流路１０を流通する混合湯は、混合部１から温度センサ１１までの間はクランク流路１３となっているので、図１の矢印に示す如く、混合湯は温度センサ１１に達するまでに２回に渡って９０゜流路が変更され、その度に衝突部１３ａ、１３ｂに衝突して確実に乱流を起こし、混合が促進され正確な混合湯温を温度センサ１１が検出することが出来、温度変動が少なく良好な給湯が得られるものである。
【００１９】
しかもクランク流路１３を形成すると言う簡単な構造で、別部品を追加することなく、混合装置全体もコンパクトのまま混合が促進され使用勝手も良いものである。
【００２０】
又クランク流路１３の入口側は出口側より狭い縮小流路１４となっているので、流入した混合湯はここで比較的長い範囲に渡って集束されながら１回目の衝突と流路変更が行われるので、更に良好に混合促進が計られるものである。
【００２１】
【発明の効果】
以上にようにこの発明によれば、コンパクトで簡単な構造でありながら、湯と水の混合を良好に促進して正確な混合湯温を検出出来るので、湯温の変動が少なく常に設定温度の湯をスムーズに得ることが出来るものである。更にクランク流路の入口側を縮小流路とすることで、混合湯は集束状態を保持したままその流速をやや速めながら最初の衝突が行われ、勢いの良い乱流で混合促進効果の向上が計られるものである。
【図面の簡単な説明】
【図１】  この発明の一実施例を付した湯水混合装置の断面図。
【符号の説明】
１  混合部
３  湯流路
４  水流路
６  混合弁体
７  駆動装置
１０  混合流路
１１  温度センサ
１３  クランク流路
１４  縮小流路
【図１】
0003844907.tif 000002